(57)【特許請求の範囲】
【請求項１】
底部を備えるとともに所定方向に開口する空間部を有する枠体と、被検出体の移動状態を検出する検出体と、この検出体を保持するとともに水平部と腕片を有するホルダと、このホルダを搭載し前記空間部内に収納される回路基板とを備え、前記回路基板は前記水平部と前記腕片との間に挿入され、前記腕片の前記回路基板の挿入方向の中間部には前記回路基板に接する突起を設け、前記検出体が対向する前記底部には前記検出体の側面に接触する位置決め部を設けたことを特徴とする移動物体検出器。
【請求項２】
底部を備えるとともに所定方向に開口する空間部を有する枠体と、被検出体の移動状態を検出する検出素子と、この検出素子を保持するとともに水平部と腕片を有するホルダと、このホルダを搭載し前記空間部内に収納される回路基板とを備え、前記回路基板は前記水平部と前記腕片との間に挿入され、前記腕片の前記回路基板の挿入方向の中間部には前記回路基板に接する突起を設け、前記検出素子が対向する前記底部には前記ホルダの側面に接触する位置決め部を設けたことを特徴とする移動物体検出器。
【請求項３】
前記位置決め部を少なくとも３つ以上の突出部としたことを特徴とする請求項１または２記載の移動物体検出器。
【請求項４】
前記位置決め部を前記検出体の側面に沿った受け面を備えた複数の突出部としたことを特徴とする請求項１記載の移動物体検出器。
【請求項５】
前記位置決め部を前記ホルダの側面に沿った受け面を備えた複数の突出部としたことを特徴とする請求項２記載の移動物体検出器。
【発明の詳細な説明】
【０００１】
【発明の属する技術分野】
本発明は、例えば被検出体の移動状態を検出する例えば磁気変換素子のごとき検出素子を収納した検出体が搭載された回路基板を枠体内に収納した後、枠体内に封止剤を充填することで封止してなる移動物体検出器に関する。
【０００２】
【従来の技術】
従来、例えば車両のトランスミッションには、車両速度や距離を計測する回転センサが搭載されており、この種の回転センサとして、トランスミッションの歯車等からなる被検出体の移動距離や移動速度（回転移動を行う移動物体の移動状態）を検出する移動物体検出器が適用されている。
【０００３】
このような移動物体検出器は、ホールＩＣ等からなる検出素子（磁気変換素子）と、この検出素子に磁場を与える磁石とからなる検出体を搭載した回路基板を合成樹脂製の枠体内に収納した後に、回路基板を収納した枠体内にエポキシ系合成樹脂からなる封止剤を充填・硬化して封止し、このように枠体内に液密的に封止固定された検出体は枠体を挟んで被検出体と対向するように配置され、被検出体の移動状態を検出するものである。
【０００４】
この場合、検出体は合成樹脂からなるホルダを通じて回路基板に装着されている。また、枠体内には、前記回路基板を枠体の底部まで案内支持する案内壁が形成されている。そして、前記枠体に対し前記回路基板の配設位置を決定するため、前記枠体の前記案内壁の終端に前記回路基板を当接させていた（例えば、特許文献１参照）。
【０００５】
【特許文献１】
特開平９−１５２３０４号公報（図１、図２）
【０００６】
【発明が解決しようとする課題】
しかしながら、従来の配設構造では、前記検出体は、前記回路基板を介して、前記枠体に固定されるために、前記底部間の寸法の公差を大きく設定する必要があり、前記検出体の検出精度に影響を与えていた。また、前記枠体の案内壁を前記枠体の開口近傍に設けた場合、前記回路基板の前記案内壁に保持される部分と、前記枠体の底部の近傍に配設される検出体と距離が離れてしまい、前記検出体及び回路基板が枠体内で傾き、本来位置すべき場所ではない位置に設けられる虞があり、前記検出体の検出精度がばらつく虞があった。
【０００７】
そこで、本発明は、この点に鑑みてなされたもので、その主な目的は、枠体内での検出体の位置を規制し、検出精度のばらつきを抑えることが可能な移動物体検出器を提供せんとするものである。
【０００８】
【課題を解決するための手段】
本発明は前記目的を達成するため、底部を備えるとともに所定方向に開口する空間部を有する枠体と、被検出体の移動状態を検出する検出体と、この検出体を保持するとともに水平部と腕片を有するホルダと、このホルダを搭載し前記空間部内に収納される回路基板とを備え、前記回路基板は前記水平部と前記腕片との間に挿入され、前記腕片の前記回路基板の挿入方向の中間部には前記回路基板に接する突起を設け、前記検出体が対向する前記底部には前記検出体の側面に接触する位置決め部を設けたものである。
【０００９】
また、底部を備えるとともに所定方向に開口する空間部を有する枠体と、被検出体の移動状態を検出する検出素子と、この検出素子を保持するとともに水平部と腕片を有するホルダと、このホルダを搭載し前記空間部内に収納される回路基板とを備え、前記回路基板は前記水平部と前記腕片との間に挿入され、前記腕片の前記回路基板の挿入方向の中間部には前記回路基板に接する突起を設け、前記検出素子が対向する前記底部には前記ホルダの側面に接触する位置決め部を設けたものである。
【００１０】
また、前記位置決め部を少なくとも３つ以上の突出部としたものである。
【００１１】
また、前記位置決め部を前記検出体の側面に沿った受け面を備えた複数の突出部としたものである。
【００１２】
また、前記位置決め部を前記ホルダの側面に沿った受け面を備えた複数の突出部としたものである。
【００１３】
【発明の実施の形態】
本発明の移動物体検出器１は、底部２２を備えるとともに所定方向に開口する空間部２１を有する枠体２と、被検出体の移動状態を検出する検出体３と、この検出体３を保持するとともに水平部６１と腕片６４を有するホルダ６と、このホルダ６を搭載し空間部２１内に収納される回路基板５とを備え、回路基板５は水平部６１と腕片６４との間に挿入され、腕片６４の前記回路基板の挿入方向の中間部には回路基板５に接する突起６４ａを設け、検出体３が対向する底部２２には検出体３の側面に接触する位置決め部２４を設けたものである。このように構成したことにより、枠体２内での検出体３の位置を規制し、検出精度のばらつきを抑えることが可能な移動物体検出器１を提供することができる。
【００１４】
また、底部を備えるとともに所定方向に開口する空間部を有する枠体と、被検出体の移動状態を検出する検出素子と、この検出素子を保持するとともに水平部と腕片を有するホルダと、このホルダを搭載し前記空間部内に収納される回路基板とを備え、前記回路基板は前記水平部と前記腕片との間に挿入され、前記腕片の前記回路基板の挿入方向の中間部には前記回路基板に接する突起を設け、前記検出素子が対向する前記底部には前記ホルダの側面に接触する位置決め部を設けたものである。このように構成したことにより、枠体２内での検出体３の位置を規制し、検出精度のばらつきを抑えることが可能な移動物体検出器１を提供することができる。
【００１５】
また、位置決め部２４を少なくとも３つ以上の突出部としたものである。このように構成したことにより、枠体２内での検出体３の位置を規制し、検出精度のばらつきを抑えることが可能な移動物体検出器を提供することができる。
【００１６】
また、前記位置決め部を前記検出体の側面に沿った受け面を備えた複数の突出部としたものである。このように構成したことにより、枠体２内での検出体３の位置を規制し、検出精度のばらつきを抑えることが可能な移動物体検出器を提供することができる。
【００１７】
また、前記位置決め部を前記ホルダの側面に沿った受け面を備えた複数の突出部としたものである。このように構成したことにより、枠体２内での検出体３の位置を規制し、検出精度のばらつきを抑えることが可能な移動物体検出器を提供することができる。
【００１８】
【実施例】
図１から図１１は本発明の第１実施例を示すもので、以下、本発明を例えば車両用回転センサからなる移動物体検出器に適用した場合について説明する。
【００１９】
本実施例の移動物体検出器１は、略円筒状の枠体２と、検出体３並びに図示しない各種の回路部品を実装した回路基板５と、回路基板５に配設され検出体３を保持するホルダ６と、検出体３及び回路部品を有する回路基板５を枠体２内に固定するための封止剤７とから構成されている。なお、４は枠体２の周囲に設けられた弾性体からなるリング状のパッキンであり、８は弾性部材からなるグロメットであり、９は電気コードである。
【００２０】
枠体２は合成樹脂材料、例えばＰＰＳ（ポリフェニレンサルファイド），ＰＢＴ（ポリブチレンテレフタレート）からなり、その外周適宜箇所には、図示しない取付片（図示しない）が一体に形成されており、この取付片によって、図示しないトランスミッション等にビス等にて取付固定されるものである。
【００２１】
また枠体２は、一方を底部２２にて閉塞するとともに、反対側が開口する空間部２１を備えている。なお、底部２２側には、例えば、前記トランスミッションの回転軸と同期して回転するギヤ歯型の回転体からなる図示しない被検出体が配置されている。
【００２２】
空間部２１の内壁には、回路基板５を枠体２に案内支持するガイド２３が２つ一体に設けられている。このガイド２３の形状は、溝であり、回路基板５の端部が入り込むように形成されている（図４参照）。また、このガイド２３内には、突起２３ａが設けられており（図９，１０参照）、この突起２３ａを設けた部分のガイド２３の間隔は、回路基板５の厚みと同等か、若干小さく設定されており、回路基板５を保持することが可能である。
【００２３】
また、枠体２の底部２２側には、図９，１０で示すように、底部２２から伸びる壁状の突出部２４が複数個、本実施例では、４つ設けられている。この突出部２４は、検出体３の側面に接触するものであり、検出体３を枠体２に位置決め配設するための位置決め部である。
【００２４】
なお、ガイド２３の突起２３ａと突出部２４の位置関係は、検出体３とホルダ６を組み付けた回路基板５を枠体２に挿入する時には、はじめに検出体３が突出部２４に接触し、ついで、回路基板５がガイド２３の突起２３ａに接触するような位置関係である。
【００２５】
検出体３は樹脂にて成形されており、その内部に、ホールＩＣまたはＭＲ素子からなる検出素子（磁気変換素子）と、この検出素子に磁場を与える磁石と、前記検出素子と前記磁石との間に集磁板とを内蔵している。なお、集磁板とは、前記被検出体と前記磁石との磁界変化を整えて、前記検出素子が良好に磁界変化を検出することができるようにするものである。検出体３からはリード３１が伸びており、このリード３１は、半田付け等の手段により回路基板５に導通固定されている。このリード３１は検出体３の側面に沿うように、折り曲げられている。このように、折り曲げたことにより、図５で示すＤ方向から見たときの投影面積を小さく抑えること（図６参照）で、枠体２の底部２２の面積を小さくすることができ、ひいては、移動物体検出器１を小型にすることができる。
【００２６】
回路基板５は、外部から入力される電源用及び検出体３の出力用の電気コード９を半田付けにより導通接続するための挿通孔５１を備えている。
【００２７】
ホルダ６は樹脂材料からなり、、図５〜図８と図１１に示すように、回路基板５に対して略水平面となる水平部６１と、検出体３を保持する保持部６２と、水平部６１と保持部６２と強度を保つための壁６３と、回路基板５を保持する腕片６４とを備えている。
【００２８】
保持部６２は水平面６１に対して垂直であり、検出体３と当接する面には、３つの円形に陥没した穴からなる位置決め部６５が形成されている。検出体３の背面には、この位置決め部６５に合致するように、円柱状のピン３２が設けられている（図１１参照）。また、腕片６４は逆Ｌ字状で、その腕片６４の水平部６１に対向する部分で回路基板５の挿入方向の中間部に、回路基板５に接する突起６４ａを備えている（図８参照）。これは、回路基板５を腕片６４で保持するときに、ホルダ６が回路基板５に対して、傾きを抑えて保持するためである。仮に、突起６４ａが保持部６２側に設けられている場合に、回路基板５の挿入された先端部分のみと、突起６４が接触し、その接触点を支点に傾いて保持されてしまい、ひいては、検出体３が傾いて保持される虞があった。しかし、本実施例のように、回路基板５の挿入方向の中間部に突起６４ａを設けることにより、この傾きを抑制することができ、ひいては検出精度の低下を抑えることができる。なお、６６は回路基板５と当接するストッパである。ホルダ６の回路基板５上での位置を決めるものである。
【００２９】
封止剤７は、枠体２のガイド２３に沿って空間部２１内に案内支持される回路基板５を枠体２内に固定して封止するように枠体２内に例えばエポキシ系合成樹脂からなる封止剤７を充填した後、硬化してなり、本実施例の場合、封止剤７は枠体２の空間部２１全体を満たすよう充填形成され、検出体３やホルダ６が配設された回路基板５を安定的に固定すると共に液密状態を保持する。
【００３０】
次に、かかる構成における移動物体検出器１の製造方法ついて説明する。例えば移動物体検出器１の構成部品として検出体３を用いて前記被検出体の移動状態を検出する場合には、ホルダ６のストッパ６６に回路基板５が当接するまで、腕片６４に回路基板５を挿入し、ついで、検出体３のピン３２をホルダ６の位置決め部６５に合致させて位置決めするとともに、検出体３のリード３１を回路基板５の裏面に設けたランド部（図示しない）に半田付けする。
【００３１】
そして、回路基板５の電気コード挿通孔５１に電気コード９を挿通し、回路基板５に設けたランド部（図示しない）に半田付けする。そして、回路基板５を枠体２のガイド２３に沿わせて挿入する。そして、まず検出体３の側面が、複数の突出部２４に接触して位置決めされ、ついで、回路基板５がガイド２３の突起２３ａに当接し、そして、検出体３が底部２２に当接するまで挿入して仮固定する。その後、枠体２内に封止剤７を充填し、硬化させることで枠体２に対し検出体３を配設固定する。以上により移動物体検出器１が完成する。
【００３２】
このように構成された移動物体検出器１は、枠体２の検出面２３が前記被検出体に対向するよう、前述のごとくトランスミッション等に取付固定され、前記被検出体の移動状態を検出体３にて電気信号に変換し、この変換された電気信号を電気コード９を通じて外部に出力するものである。
【００３３】
以上のように、枠体２の底部２２に検出体３の側面に接触する位置決め部２４を設けたことにより、検出体３と枠体２とを、従来のように回路基板５を介さずに、直接位置決めすることができ、検出精度のばらつきを抑えることが可能な移動物体検出器を提供することができる。
【００３４】
次に、本発明の第２実施例について説明する。なお、前記第１実施例と同一及び相当箇所には同一符号を付してその詳細な説明は省略する。
【００３５】
第１実施例では、検出体３内に、ホールＩＣまたはＭＲ素子からなる検出素子（磁気変換素子）と、この検出素子に磁場を与える磁石等を収納していたが、本実施例では、これら検出素子と磁石等を樹脂などで成形せず、ホルダ６ａに収納部６ａ１を設け、この収納部６ａ１に、検出素子１０と磁石１１を収納したものである。そして、このホルダ６ａの側面で、枠体２の位置決め部２４で、位置決めを行うものであっても良い。なお、この実施例では、前記実施例で記載した集磁板は採用していないが、必要であれば、集磁板を採用しても良い。
【００３６】
なお、前記各実施例では、位置決め部を構成する突起２４は、４つ設けてあったが、前記実施例に限定されるものではなく、位置を規制するためには、少なくとも３つ以上形成すればよい。
【００３７】
また、前記各実施例の位置決め部の変形例として、図１４で示すように、第１実施例の検出体３や第２実施例のホルダ６ａの側面の形状に沿った受け面２４ｂを備えた受け部２４ａを、２つ設けたものであっても良い。この場合、位置決め部である受け部２４ａを設ける個数は、２つでも検出体３やホルダ６ａを良好に位置決めすることができる。
【００３８】
また、前記各実施例では、枠体２内の空間部２１に封止剤７を充填して、硬化させていたが、前記実施例に限定されるものではなく、封止剤７を用いずに、枠体２内の空間部２１を射出成形によって、満たし、検出体３や回路基板５などを固定するようにしても良い。また、検出体３や回路基板５などを接着剤で、枠体２に固定するとともに、枠体２の開口部分を樹脂部品などで塞ぎ、枠体２の空間部２１に封止剤７などを充填しないというものであっても良い。
【００３９】
なお、前記各実施例では、移動物体検出器１を車両のトランスミッションの移動距離や移動速度等を検出していたが、前記実施例に限定されるものではなく、他にも、例えば、エンジンのカムシャフトの回転などを検出するものに適用することができる。
【００４０】
【発明の効果】
以上、本発明によれば、初期の目的を達成することができ、枠体内での検出体の位置を規制し、検出精度のばらつきを抑えることが可能な移動物体検出器を提供することができる。
【図面の簡単な説明】
【図１】本発明の第１実施例の移動物体検出器の側面図。
【図２】図１中Ａ方向から見た背面図。
【図３】図２中Ｂ−Ｂ線の断面図。
【図４】図３中Ｃ−Ｃ線の断面図。
【図５】同実施例の検出体、ホルダ、基板を組み付けたものの上面図。
【図６】  図５中Ｄ方向から見た正面図。
【図７】図５中Ｅ−Ｅ線の断面図。
【図８】同実施例のホルダの断面図。
【図９】同実施例のケースの断面図。
【図１０】同実施例のケースを図１中Ａ方向から見た背面図。
【図１１】同実施例の検出体とホルダの斜視図。
【図１２】本発明の第２実施例の断面図。
【図１３】図１２中Ｆ−Ｆ線の断面図。
【図１４】本発明のケースの変形例を示す背面図。
【符号の説明】
１    移動物体検出器
２    枠体
３    検出体
４    パッキン
５    回路基板
６，６ａ  ホルダ
７    封止剤
８    グロメット
９    電気コード
１０    検出素子
１１    磁石
２１    空間部
２２    底部
２３    ガイド
２３ａ  突起
２４    突出部（位置決め部）
２４ａ  受け部（位置決め部）
２４ｂ  受け面
３１    リード
３２    ピン
６１    水平部
６２    保持部
６３    壁
６４    腕片
６４ａ  突起
６５    位置決め部
【図１】
0003723975.tif 000002
【図２】
0003723975.tif 000003
【図３】
0003723975.tif 000004
【図４】
0003723975.tif 000005
【図５】
0003723975.tif 000006
【図６】
0003723975.tif 000007
【図７】
0003723975.tif 000008
【図８】
0003723975.tif 000009
【図９】
0003723975.tif 000010
【図１０】
0003723975.tif 000011
【図１１】
0003723975.tif 000012
【図１２】
0003723975.tif 000013
【図１３】
0003723975.tif 000014
【図１４】
0003723975.tif 000015